(57)【要約】【課題】部品点数を増やすことなく、低コストで反射シートを支持することができる表示装置を提供する。【解決手段】表示装置の内部に配置された光源の出射光を表示パネルの裏面に向けて反射するシートであって、表示装置の背面側内部に設置され、表示装置の正面側に向けた傾斜部を有し、当該傾斜部に開口部１１０を有する反射シート１０４と、表示装置の端部の背面側内部に設置され、開口部１１０を貫通し、表示装置の正面側に配置された表示パネルを支持するパネル支持部材１０６とを備え、パネル支持部材１０６は、開口部１１０において一部が反射シート１０４と接することにより、反射シート１０４を支持する。【選択図】図４
2014154281.tif 000002
【特許請求の範囲】
【請求項１】
正面側に表示パネルが配置された表示装置であって、
前記表示装置の内部に配置された光源の出射光を前記表示パネルの裏面に向けて反射するシートであって、前記表示装置の背面側内部に設置され、前記表示装置の正面側に向けた傾斜部を有し、当該傾斜部に開口部を有する反射シートと、
前記表示装置の端部の背面側内部に設置され、前記開口部を貫通し、前記表示装置の正面側に配置された前記表示パネルを支持するパネル支持部材とを備え、
前記パネル支持部材は、前記開口部において一部が前記反射シートと接することにより、前記反射シートを支持する
表示装置。
【請求項２】
前記パネル支持部材は、当該パネル支持部材の側面に第１突起部を有し、前記第１突起部が前記反射シートの前記表示装置の背面側の面である裏面に接することにより、前記反射シートを当該裏面から支持する
請求項１に記載の表示装置。
【請求項３】
前記パネル支持部材は、さらに、当該パネル支持部材の側面に第２突起部を有し、前記第１突起部と前記第２突起部とで前記反射シートを挟み込むことにより、前記反射シートを両面から支持する
請求項２に記載の表示装置。
【請求項４】
前記第２突起部の突起方向の長さは、前記第２突起部を前記開口部を通過させることが可能な長さであり、かつ、前記第１突起部の突起方向の長さよりも短い
請求項３に記載の表示装置。
【請求項５】
前記パネル支持部材は、当該パネル支持部材の側面にリブを有し、前記リブが前記反射シートの前記表示装置の背面側の面である裏面に接することにより、前記反射シートを当該裏面から支持する
請求項１に記載の表示装置。
【請求項６】
前記パネル支持部材は、前記表示装置の正面側に近づくほど細くなり、
前記開口部における前記パネル支持部材の幅と、前記開口部の幅とが等しい
請求項１に記載の表示装置。
【請求項７】
前記パネル支持部材は、前記表示装置の背面側の第１部分と、前記表示装置の表面側の第２部分とにより形成された段差部分を有し、当該段差部分が前記反射シートの前記表示装置の背面側の面である裏面に接することにより、前記反射シートを当該裏面から支持する
請求項１に記載の表示装置。
【請求項８】
前記第１部分の形状は、円錐台または円柱であり、
前記第２部分の形状は、板状または楕円錐である
請求項７に記載の表示装置。
【請求項９】
前記パネル支持部材は、さらに、当該パネル支持部材の側面に突起部を有し、前記突起部が前記反射シートの前記表示装置の正面側の面である表面に接することにより、前記反射シートを当該表面から支持する
請求項５〜８のいずれか１項に記載の表示装置。
【請求項１０】
前記第２突起部または前記突起部は、前記パネル支持部材に対して出没自在に形成され、
前記パネル支持部材は、前記第２突起部または前記突起部の突起方向の内部に弾性部材を有する
請求項３〜９のいずれか１項に記載の表示装置。
【発明の詳細な説明】
【技術分野】
【０００１】
本発明は、表示装置に関し、特に、液晶表示装置などの表示装置に関する。
【背景技術】
【０００２】
液晶表示装置では、液晶表示パネルを照明するためにバックライトが組み込まれている。バックライトからの出射光を効率的に液晶表示パネルに導くために、液晶表示装置の背面側内部には反射シートが配置されている。この反射シートを反射面とは反対側の裏面から支持する構成が特許文献１に開示されている。特許文献１に開示の構成では、液晶表示装置のベースプレートに台座部を形成することにより、台座部により反射シートを支持している。
【先行技術文献】
【特許文献】
【０００３】
【特許文献１】特開２０１０−１２８０４８号公報
【発明の概要】
【発明が解決しようとする課題】
【０００４】
しかしながら、特許文献１に記載の構成では、反射シートを支持するために台座部を設けなければならず、部品点数が多くなり、液晶表示装置のコストが高くなるという問題がある。
【０００５】
本発明は、上述の課題を解決するためになされたものであり、部品点数を増やすことなく、低コストで反射シートを支持することができる表示装置を提供することを目的とする。
【課題を解決するための手段】
【０００６】
上記目的を達成するために、本発明の一態様に係る表示装置は、正面側に表示パネルが配置された表示装置であって、前記表示装置の内部に配置された光源の出射光を前記表示パネルの裏面に向けて反射するシートであって、前記表示装置の背面側内部に設置され、前記表示装置の正面側に向けた傾斜部を有し、当該傾斜部に開口部を有する反射シートと、前記表示装置の端部の背面側内部に設置され、前記開口部を貫通し、前記表示装置の正面側に配置された前記表示パネルを支持するパネル支持部材とを備え、前記パネル支持部材は、前記開口部において一部が前記反射シートと接することにより、前記反射シートを支持する。
【０００７】
この構成によると、反射シートに開口部を設け、パネル支持部材が開口部を貫通した状態で表示パネルを支持する。また、パネル支持部材を反射シートに接触させることで、反射シートを支持する。つまり、パネル支持部材が、表示パネルの支持と、反射シートの支持との両方の役割を担う。このため、部品点数を増やすことなく、低コストで反射シートを支持することができる。
【０００８】
例えば、前記パネル支持部材は、当該パネル支持部材の側面に第１突起部を有し、前記第１突起部が前記反射シートの前記表示装置の背面側の面である裏面に接することにより、前記反射シートを当該裏面から支持しても良い。
【０００９】
この構成によると、パネル支持部材に第１突起部を設けるだけで、反射シートを裏面から支持することができる。このため、反射シートが表示装置の背面側に撓むのを防ぐことができる。
【００１０】
また、前記パネル支持部材は、さらに、当該パネル支持部材の側面に第２突起部を有し、前記第１突起部と前記第２突起部とで前記反射シートを挟み込むことにより、前記反射シートを両面から支持しても良い。
【００１１】
この構成によると、第１突起部と第２突起部とで反射シートを挟み込む構成とすることができる。このため、反射シートが表示装置の正面側および背面側のいずれにも撓むのを防ぐことができる。
【００１２】
また、前記第２突起部の突起方向の長さは、前記第２突起部を前記開口部を通過させることが可能な長さであり、かつ、前記第１突起部の突起方向の長さよりも短くても良い。
【００１３】
この構成によると、第２突起部の長さを第１突起部の長さよりも短くしていることより、パネル支持部材の第２突起部を、反射シートの裏面から開口部を貫通させ表面に通しやすくすることができる。
【００１４】
また、前記パネル支持部材は、当該パネル支持部材の側面にリブを有し、前記リブが前記反射シートの前記表示装置の背面側の面である裏面に接することにより、前記反射シートを当該裏面から支持しても良い。
【００１５】
この構成によると、パネル支持部材にリブを設けるだけで、反射シートを裏面から支持することができる。このため、反射シートが表示装置の背面側に撓むのを防ぐことができる。また、リブを設けることで、パネル支持部材を補強して、表示パネルの撓みで、パネル支持部材が押し潰されるのを防ぐことができる。
【００１６】
また、前記パネル支持部材は、前記表示装置の正面側に近づくほど細くなり、前記開口部における前記パネル支持部材の幅と、前記開口部の幅とが等しくても良い。
【００１７】
この構成によると、反射シートの幅がパネル支持部材の幅と一致する位置より下には、反射シートが移動しない。このため、パネル支持部材に突起部を設けるなどの特別な工夫をしなくても、反射シートが表示装置の背面側に撓むのを防ぐことができる。
【００１８】
また、前記パネル支持部材は、前記表示装置の背面側の第１部分と、前記表示装置の表面側の第２部分とにより形成された段差部分を有し、当該段差部分が前記反射シートの前記表示装置の背面側の面である裏面に接することにより、前記反射シートを当該裏面から支持しても良い。
【００１９】
この構成によると、第１部分が反射シートの表面側に位置し、第２部分が反射シートの裏面側に位置し、第１部分と第２部分との段差部分により反射シートを裏面から支持することができる。このため、反射シートが表示装置の背面側に撓むのを防ぐことができる。
【００２０】
また、前記第１部分の形状は、円錐台または円柱であり、前記第２部分の形状は、板状または楕円錐であっても良い。
【００２１】
この構成によると、第１部分の形状と第２部分の形状とが異なる。このため、第１部分と第２部分とが接触する部分において段差部分を形成することができる。
【００２２】
また、前記パネル支持部材は、さらに、当該パネル支持部材の側面に突起部を有し、前記突起部が前記反射シートの前記表示装置の正面側の面である表面に接することにより、前記反射シートを当該表面から支持しても良い。
【００２３】
この構成によると、パネル支持部材に突起部を設けるだけで、反射シートを表面から支持することができる。このため、反射シートが表示装置の表面側に撓むのを防ぐことができる。
【００２４】
また、前記第２突起部または前記突起部は、前記パネル支持部材に対して出没自在に形成され、前記パネル支持部材は、前記第２突起部または前記突起部の突起方向の内部に弾性部材を有しても良い。
【００２５】
この構成によると、パネル支持部材の第２突起部を、反射シートの裏面から開口部を貫通させ表面に通す際に、第２突起部を指で押さえることにより、第２突起部をパネル支持部材の内部に収納した状態で通すことができる。このため、第２突起部を表面に通しやすくなる。また、通常は、弾性部材の反発力により、第２突起部がパネル支持部材の外部に押し出される。このため、第２突起部により反射シートの表側から反射シートを支持することができる。なお、上述の突起部によっても同一の作用、効果を奏することができる。
【発明の効果】
【００２６】
本発明によると、部品点数を増やすことなく、低コストで反射シートを支持することができる表示装置を提供することができる。
【図面の簡単な説明】
【００２７】
【図１】実施の形態１に係る液晶表示装置を正面から見た斜視図である。
【図２】実施の形態１に係る液晶表示装置を背面から見た斜視図である。
【図３】図１および図２に示す液晶表示装置のＡ−Ａ断面図である。
【図４】パネル支持部材を、反射シートの裏面（反射面とは反対側の面）側から見た図である。
【図５】パネル支持部材を、反射シートの表面側から見た図である。
【図６】パネル支持部材を、パネル支持部材の側方（ｘ軸方向）から見た図である。
【図７】パネル支持部材を正面から見た図である。
【図８】パネル支持部材を、反射シートの裏面側から見た図である。
【図９】パネル支持部材を反射シートの表面側から見た図である。
【図１０】パネル支持部材を反射シートの裏面側から見た図である。
【図１１】パネル支持部材を、反射シートの表面側から見た図である。
【図１２】パネル支持部材を、反射シートの裏面側から見た図である。
【図１３】パネル支持部材を、パネル支持部材の先端側（液晶表示装置の正面側）から見た図である。
【発明を実施するための形態】
【００２８】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２９】
（実施の形態１）
図１は、実施の形態１に係る液晶表示装置を正面（以下では、単に「正面」という）から見た斜視図である。図２は、実施の形態１に係る液晶表示装置を背面（以下では、単に「背面」という）から見た斜視図である。液晶表示装置１０には、正面側に液晶表示パネル１００が配置されている。以下の説明では、液晶表示パネル１００の水平方向をｘ軸方向、液晶表示パネル１００の垂直方向をｙ方向、液晶表示装置１０の奥行き方向をｚ軸方向とする。
【００３０】
図３は、図１および図２に示す液晶表示装置１０のＡ−Ａ断面図である。
【００３１】
背面部材１０２と液晶表示パネル１００とに挟まれた液晶表示装置１０の内部には、反射シート１０４と、パネル支持部材１０６とが設けられている。
【００３２】
液晶表示パネル１００および背面部材１０２の構成は本発明の主眼ではない。このため、図３においては、両者を簡略化して示している。液晶表示パネル１００は、偏光板、ガラス基板、透明導電膜などを積層したものである。背面部材１０２は、金属製のリアフレームおよび樹脂製のリアキャビネットを含む。
【００３３】
反射シート１０４は、液晶表示装置１０の内部に配置された光源であるバックライトの出射光を液晶表示パネル１００の裏面に向けて反射するシートである。反射シート１０４は、例えば、背面部材１０２に放熱テープで貼り付けられることで、反射面（以下、「表面」ともいう）が正面を向くように、液晶表示装置１０の背面側に配置される。ただし、図３に示すように、液晶表示装置１０の端部においては、正面側に折り返される。つまり、反射シート１０４は、正面側に向けた傾斜部を有する。このように反射シート１０４が傾斜部を有することで、液晶表示装置１０の側方に向かう光を効率的に液晶表示パネル１００に反射することができる。このため、バックライトを小型化することができる。なお、傾斜部において、反射シート１０４は宙に浮いている状態になる。
【００３４】
パネル支持部材１０６は、パネル支持部材１０６にビス等で固定され、パネル支持部材１０６の先端で液晶表示パネル１００を裏面（図３において液晶表示パネル１００を下側の面）から支持する。図３に示すように、パネル支持部材１０６は、反射シート１０４が傾斜している液晶表示装置１０の端部に少なくとも設けられる他、液晶表示装置１０の中央部分等にも必要に応じて設けられる。パネル支持部材１０６は、複数の位置において、液晶表示パネル１００を裏面から支持する。これにより、バックライトなどの熱の影響により、液晶表示パネル１００が膨張または収縮し、液晶表示パネル１００が背面側に撓むのを防ぐことができる。なお、パネル支持部材１０６には、第１突起部１０８が設けられている。以下、第１突起部１０８の配置位置および役割などについて説明する。
【００３５】
図４は、パネル支持部材１０６を、反射シート１０４の裏面（反射面とは反対側の面）側から見た図である。
【００３６】
パネル支持部材１０６は、例えば、ｘ軸方向に厚みを持った板状の三角形形状を有する。パネル支持部材１０６は、その両側面に第１突起部１０８を有する。つまり、パネル支持部材１０６は、ｘ軸方向に突き出た第１突起部１０８を有する。第１突起部１０８は、例えば、その先端が丸みを帯びた円柱形上を有し、第１突起部１０８が反射シート１０４に接触した際に、反射シート１０４を傷つけるのを防ぐ。
【００３７】
反射シート１０４は、開口部１１０を有する。開口部１１０の形状は、例えば、長方形である。開口部１１０のｘ軸方向の幅は、２つの第１突起部１０８の両端間の幅よりも狭い。作業者は、パネル支持部材１０６の先端部分を、反射シート１０４の裏面から開口部１１０を通過させ、反射シート１０４の表面に通す。これにより、図４のように、パネル支持部材１０６は、その先端部分が反射シート１０４の表面側に突き出す。また、２つの第１突起部１０８が、反射シート１０４を裏面から支持する。
【００３８】
以上説明したように、実施の形態１によると、反射シート１０４に開口部１１０を設け、パネル支持部材１０６が開口部１１０を通過した状態で液晶表示パネル１００を支持する。また、パネル支持部材１０６を反射シート１０４に接触させることで、反射シート１０４を支持する。つまり、パネル支持部材１０６が、液晶表示パネル１００の支持と、反射シート１０４の支持との両方の役割を担う。このため、部品点数を増やすことなく、低コストで反射シート１０４を支持することができる。
【００３９】
特に、パネル支持部材１０６に第１突起部１０８を設けるだけで、反射シート１０４を裏面から支持することができる。このため、反射シート１０４が液晶表示装置１０の背面側に撓むのを防ぐことができる。
【００４０】
なお、第１突起部１０８の個数は２つに限定されるものではなく、１つであっても良いし、３つ以上であっても良い。
【００４１】
（実施の形態２）
実施の形態１では、パネル支持部材１０６が第１突起部１０８を有し、第１突起部１０８が反射シート１０４の裏面側から反射シート１０４を支持する構成を示した。実施の形態２では、反射シート１０４の表面側から反射シート１０４を支持することのできるパネル支持部材について説明する。
【００４２】
反射シート１０４およびパネル支持部材の設置位置などは、実施の形態１と同様である。以下では、実施の形態１と異なる点について述べる。
【００４３】
実施の形態２に係るパネル支持部材を、反射シート１０４の裏面側から見た図は、図４と同じである。
【００４４】
図５は、実施の形態２に係るパネル支持部材２０６を、反射シート１０４の表面側から見た図である。パネル支持部材２０６は、反射シート１０４の表面側において、パネル支持部材２０６の両側面に第２突起部１１２を有する。つまり、パネル支持部材２０６は、ｘ軸方向に突き出た第２突起部１１２を有する。第２突起部１１２は、例えば、その先端が丸みを帯びた円柱形上を有し、第２突起部１１２が反射シート１０４に接触した際に、反射シート１０４を傷つけるのを防ぐ。
【００４５】
開口部１１０のｘ軸方向の幅は、２つの第２突起部１１２の両端間の幅よりも狭い。これにより、反射シート１０４が動いても、２つの第２突起部１１２が反射シート１０４の表面に移動することはなく、２つの第２突起部１１２が反射シート１０４を表面から支持する。
【００４６】
図６は、パネル支持部材２０６を、パネル支持部材２０６の側方（ｘ軸方向）から見た図である。つまり、第１突起部１０８と第２突起部１１２とで反射シート１０４を挟み込むことができる。
【００４７】
図７は、パネル支持部材２０６を正面から見た図である。２つの第２突起部１１２の両端間の幅ｘ２は、２つの第１突起部１０８の第１突起部１０８間の幅ｘ１よりも短い。また、幅ｘ２は、２つの第２突起部１１２を開口部１１０を通過させることが可能な長さである。これは、２つの第２突起部１１２を、反射シート１０４の裏面から開口部１１０を通過させ表面に通しやすくするためである。上述のように、開口部１１０のｘ軸方向の幅は、２つの第２突起部１１２の両端間の幅よりも狭い。このため、作業者は、開口部１１０を指で変形させる等しながら、各第２突起部１１２を反射シート１０４の裏面から表面に通過させる。
【００４８】
なお、各第２突起部１１２は、パネル支持部材２０６に対して出没自在に形成され、パネル支持部材２０６は、各第２突起部１１２の突起方向の内部に、弾性部材の一例であるバネ１１６を有する。これにより、作業者は、２つの第２突起部１１２を指で押さえることにより、各第２突起部１１２をパネル支持部材２０６の内部に収納した状態で開口部１１０を通過させ、反射シート１０４の表面に通すことができる。また、通常は、バネ１１６の反発力により、各第２突起部１１２がパネル支持部材２０６の外部に押し出される。このため、２つの第２突起部１１２により反射シート１０４の表側から反射シート１０４を支持することができる。
【００４９】
以上説明したように、実施の形態２によると、第１突起部１０８と第２突起部１１２とで反射シート１０４を挟み込む構成とすることができる。このため、反射シート１０４が液晶表示装置１０の正面側および背面側のいずれにも撓むのを防ぐことができる。
【００５０】
また、第２突起部１１２の長さを第１突起部１０８の長さよりも短くしていることより、第２突起部１１２を、反射シート１０４の裏面から開口部１１０を通過させ表面に通しやすくすることができる。
【００５１】
特に、パネル支持部材２０６は、内部にバネ１１６を有するため、作業者は、各第２突起部１１２を、反射シート１０４の表面に容易に通すことができる。なお、図７に示したバネ１１６の代わりに、ゴムやスポンジなどの弾性部材を用いることができる。
【００５２】
また、第２突起部１１２の個数は２つに限定されるものではなく、１つであっても良いし、３つ以上であっても良い。
【００５３】
（実施の形態３）
実施の形態１では、パネル支持部材１０６が第１突起部１０８を有し、第１突起部１０８が反射シート１０４の裏面側から反射シート１０４を支持する構成を示した。実施の形態３では、パネル支持部材が第１突起部１０８の代わりにリブを有し、反射シート１０４の裏面側から反射シート１０４を支持する構成について説明する。
【００５４】
反射シート１０４およびパネル支持部材の設置位置などは、実施の形態１と同様である。以下では、実施の形態１と異なる点について述べる。
【００５５】
図８は、実施の形態３に係るパネル支持部材３０６を、反射シート１０４の裏面側から見た図である。
【００５６】
パネル支持部材３０６は、例えば、ｘ軸方向に厚みを持った板状の三角形形状を有する。パネル支持部材３０６は、その両側面にそれぞれ、側面から遠ざかる方向に伸びるリブ１１４を有する。
【００５７】
開口部１１０のｘ軸方向の幅は、２つのリブ１１４の両端間の幅よりも狭い。これにより、反射シート１０４が動いても、２つのリブ１１４が、反射シート１０４を表面から支持する。
【００５８】
なお、リブ１１４の反射シート１０４と接触する面は、丸みを帯びている。これにより、リブ１１４が反射シート１０４に接触した際に、反射シート１０４を傷つけるのを防ぐ。
【００５９】
以上説明したように、実施の形態３によると、パネル支持部材３０６にリブ１１４を設けるだけで、反射シート１０４を裏面から支持することができる。このため、反射シート１０４が液晶表示装置１０の背面側に撓むのを防ぐことができる。また、リブ１１４を設けることで、パネル支持部材３０６を補強して、液晶表示パネル１００の撓みで、パネル支持部材３０６が押し潰されるのを防ぐことができる。
【００６０】
なお、リブ１１４の本数は２つに限定されるものではなく、１つであっても良いし、３つ以上であっても良い。
【００６１】
（実施の形態４）
実施の形態１〜３では、パネル支持部材に、突起部またはリブを設けた。実施の形態４では、パネル支持部材に対してこのような特別な工夫をしなくても、反射シート１０４を支持できるパネル支持部材について説明する。
【００６２】
反射シート１０４およびパネル支持部材の設置位置などは、実施の形態１と同様である。以下では、実施の形態１と異なる点について述べる。
【００６３】
図９は、実施の形態４に係るパネル支持部材４０６を反射シート１０４の表面側から見た図である。図１０は、パネル支持部材４０６を反射シート１０４の裏面側から見た図である。
【００６４】
パネル支持部材４０６は、液晶表示装置１０の正面側に近づくほど細くなる形状、例えば、ｘ軸方向に厚みを持った板状の三角形形状を有する。
【００６５】
パネル支持部材４０６を反射シート１０４の開口部１１０を貫通させた際に、開口部１１０におけるパネル支持部材４０６のｙ軸方向の幅ｙ１と、開口部１１０のｙ軸方向の幅とが同じになるように、反射シート１０４に開口部１１０が設けられる。
【００６６】
これにより、反射シート１０４の幅がパネル支持部材４０６の幅と一致する位置より下には、反射シート１０４が移動しない。
【００６７】
以上説明したように、実施の形態４によると、パネル支持部材４０６に突起部を設けるなどの特別な工夫をしなくても、反射シート１０４が液晶表示装置１０の背面側に撓むのを防ぐことができる。
【００６８】
（実施の形態５）
実施の形態１では、パネル支持部材１０６が第１突起部１０８を有し、第１突起部１０８が反射シート１０４の裏面側から反射シート１０４を支持する構成を示した。実施の形態５では、パネル支持部材の形状を工夫することで、反射シート１０４の裏面側から反射シート１０４を支持するパネル支持部材について説明する。
【００６９】
図１１は、実施の形態５に係るパネル支持部材５０６を、反射シート１０４の表面側から見た図である。図１２は、パネル支持部材５０６を、反射シート１０４の裏面側から見た図である。
【００７０】
パネル支持部材５０６は、一体形成された第１部分５０６Ａおよび第２部分５０６Ｂの２つの部分から構成されている。なお、パネル支持部材５０６は、元々は別体の第１部分５０６Ａおよび第２部分５０６Ｂを接着剤などで接合することにより形成されても良い。第１部分５０６Ａは、液晶表示装置１０の背面側に位置し、第２部分５０６Ｂは、液晶表示装置１０の背面側に位置する。また、パネル支持部材５０６は、第１部分５０６Ａおよび第２部分５０６Ｂにより形成された段差部分を有する。例えば、第１部分５０６Ａの形状は円錐台であり、第２部分５０６Ｂの形状はｘ軸方向に厚みを持った板状の三角形形状を有する。
【００７１】
図１３は、パネル支持部材５０６を、パネル支持部材５０６の先端側（液晶表示装置１０の正面側）から見た図である。第１部分５０６Ａの上面（液晶表示装置１０の正面に近い側の面）が、第１部分５０６Ａおよび第２部分５０６Ｂにより形成された段差部分である。なお、第２部分５０６Ｂのサイズは、開口部１１０のサイズよりも小さい。これに対して、第１部分５０６Ａの上面部分のサイズは、開口部１１０のサイズよりも大きい。このため、パネル支持部材５０６を、反射シート１０４の裏面から、開口部１１０に挿入したした際に、第２部分５０６Ｂは開口部１１０を通過することができるが、第１部分５０６Ａは開口部１１０を通過することができない。これにより、第１部分５０６Ａの上面において、反射シート１０４を裏面から支持することができる。
【００７２】
以上説明したように、実施の形態５によると、第１部分５０６Ａが反射シート１０４の表面側に位置し、第２部分５０６Ｂが反射シート１０４の裏面側に位置し、第１部分５０６Ａおよび第２部分５０６Ｂにより形成された段差部分により反射シート１０４を裏面から支持することができる。このため、反射シート１０４が表示装置の背面側に撓むのを防ぐことができる。
【００７３】
また、第１部分５０６Ａの形状と第２部分５０６Ｂの形状とが異なる。このため、第１部分５０６Ａと第２部分５０６Ｂとが接触する部分において段差部分を形成することができる。
【００７４】
なお、第１部分５０６Ａの形状および第２部分５０６Ｂの形状は、それぞれ、円錐台および板状の三角形形状に限定されるものではない。第１部分５０６Ａと第２部分５０６Ｂとが接触する部分において段差部分を形成することができる形状であればどのような形状であっても良い。例えば、第１部分５０６Ａの形状は、円柱であってもよい。また、第２部分５０６Ｂの形状は、楕円錐であってもよい。
【００７５】
以上、本発明の実施の形態に係る液晶表示装置１０について説明したが、本発明は、この実施の形態に限定されるものではない。
【００７６】
例えば、本発明は、液晶表示装置以外の表示装置にも適用可能である。例えば、反射シート以外のシートを支持するために、プラズマ表示装置の内部に上記実施の形態に示したパネル支持部材が設置されていても良い。
【００７７】
実施の形態１〜４におけるパネル支持部材の形状は、板状の三角形形状に限定されるものではない。例えば、円錐であっても良いし、三角錐であっても良い。
【００７８】
また、上記実施の形態および上記変形例をそれぞれ組み合わせるとしても良い。例えば、実施の形態３〜５に示したパネル支持部材に、実施の形態２に示した第２突起部１１２を設けても良い。これにより、反射シート１０４の両面から反射シート１０４を支持することができる。
【産業上の利用可能性】
【００７９】
本発明は表示装置として、例えば、液晶表示装置等に適用できる。
【符号の説明】
【００８０】
１０  液晶表示装置
１００  液晶表示パネル
１０２  背面部材
１０４  反射シート
１０６、２０６、３０６、４０６、５０６  パネル支持部材
５０６Ａ  第１部分
５０６Ｂ  第２部分
１０８  第１突起部
１１０  開口部
１１２  第２突起部
１１４  リブ
１１６  バネ
【図１】
2014154281.tif 000003
【図２】
2014154281.tif 000004
【図３】
2014154281.tif 000005
【図４】
2014154281.tif 000006
【図５】
2014154281.tif 000007
【図６】
2014154281.tif 000008
【図７】
2014154281.tif 000009
【図８】
2014154281.tif 000010
【図９】
2014154281.tif 000011
【図１０】
2014154281.tif 000012
【図１１】
2014154281.tif 000013
【図１２】
2014154281.tif 000014
【図１３】
2014154281.tif 000015